(57)【要約】【課題】多数のノズルヘッドをライン状に配置してなるラインヘッドの各ノズルヘッドの温度を安定させる品質のよい印刷を行うことができるようにする。【解決手段】枠状に形成されたベースプレート１２に、相互間にわずかに隙間１３をあけて多数のノズルヘッド９を支持して筺体１１内に設けたラインヘッド１０の一方側に、開口端をラインヘッド１０の全長にわたる側面に近接対向させて吹き出しダクト１９を設け、この吹き出しダクト１９に温度制御可能にした空調装置２３ａ〜２３ｄを接続し、ラインヘッドの他方側に、上記空調装置の温度制御するための温度検出器２４を設けた。【選択図】図６
2006026900.tif 000002
【特許請求の範囲】
【請求項１】
枠状に形成されたベースプレートに、相互間にわずかに隙間をあけて多数のノズルヘッドを支持して筺体内に設けたラインヘッドの一方側に、開口端をラインヘッドの全長にわたる側面に近接対向させて吹き出しダクトを設け、この吹き出しダクトに温度制御可能にした空調装置を接続し、ラインヘッドの他方側に、上記空調装置の温度制御するための温度検出器を設けたことを特徴とするインクジェット記録装置。
【請求項２】
ベースプレートの枠状部に液流路を設け、この液流路の入口と出口に、液流路に調温液体を循環させる調温液体供給回路を接続したことを特徴とする請求項１記載のインクジェット記録装置。
【発明の詳細な説明】
【技術分野】
【０００１】
本発明は、多数のノズルヘッドを枠状に形成されたベースプレートにライン状に支持してなるラインヘッドを筺体内に収容したインクジェット記録装置に関するものである。
【背景技術】
【０００２】
この種のインクジェット記録装置にあっては、ノズルヘッドよりインク滴を安定した状態で吐出して良好な印刷物を得るためには、インクの粘度が一定していることが重要な条件の１つである。そしてこのインクの粘度に影響を及ぼす因子として、環境的にはインク温度がある。ノズルヘッド部が温度的に不安定な場合にはインク吐出部でのインク温度も不安定になり、印刷品質にマイナスの影響を及ぼす。
【０００３】
これらのことから、従来よりノズルヘッド周辺の温度を制御して、このノズルヘッドから吐出するインクの温度を適正な温度にしようとしている。
【０００４】
その一例として、ノズルヘッドを内部にチャネルを設けた支持バーに取り付け、上記チャネルに水などの冷却媒体を循環し、この冷却媒体にてノズルヘッドの作動中に発生する熱を吸収するようにしたもの（例えば特許文献１参照）があり、また複数のノズルヘッドを収納した筺体の両側部に送風機を設け、一方の送風機にてノズルヘッド側へ風を送り、他方の送風機にてノズルヘッド側から風を排出するようにして、２つの送風機にてノズルヘッドの温度を制御するようにしたもの（例えば特許文献２参照）がある。
【０００５】
【特許文献１】特開平１０−２７８２５１号公報
【特許文献２】特公平６−３０９２９号公報
【発明の開示】
【発明が解決しようとする課題】
【０００６】
上記した従来の技術の前者にあっては、複数のノズルヘッドのぞれぞれが、冷却媒体を流すチャネルを有する支持バーの側面に固定される構成であるため、ノズルヘッドの数に応じて上記冷却媒体を流す流路が必要となってその構成が複数となり、多数のノズルヘッドをライン状に配列してなるインクジェット記録装置には適用できない。
【０００７】
また、従来の技術の後者にあっては、複数のノズルヘッドの相互間に風を通すようにしているため、ノズルヘッドをわずかな隙間をあけてライン状に配列してなるインクジェット記録装置では、送風機による風が各ノズルヘッドの周辺に行き渡らず熱交換率が悪い。また、装置周りの定まった値のない雰囲気温度にて送風されるため、好適温度である２５℃、プラスマイナス２．５℃に保持しようとした場合に、必ずしも好ましい方向に働くとは限らないという問題もある。
【課題を解決するための手段】
【０００８】
本発明は上記のことに鑑みなされたもので、多数のノズルヘッドをライン状に配置してなるラインヘッドの各ノズルヘッドの温度を安定させ、粘度が安定したインクを吐出して品質のよい印刷を行うことができるようにするもので、その構成は、枠状に形成されたベースプレートに、相互間にわずかに隙間をあけて多数のノズルヘッドを支持して筺体内に設けたラインヘッドの一方側に、開口端をラインヘッドの全長にわたる側面に近接対向させて吹き出しダクトを設け、この吹き出しダクトに温度制御可能にした空調装置を接続し、ラインヘッドの他方側に、上記空調装置の温度制御するための温度検出器を設けた構成になっている。
【０００９】
そして上記構成において、ベースプレートの枠状部に液流路を設け、この液流路の入口と出口に、液流路に調温液体を循環させる調温液体供給回路を接続した構成になっている。
【発明の効果】
【００１０】
本発明によれば、吹き出しダクトをこれの開口端をラインヘッドの全長にわたる側面に近接対向させて設けたことにより、このラインヘッドにおいて、わずかな隙間をあけて多数支持された各ノズルヘッドが、上記吹き出しダクトからの調温空気に均等にさらされ、各ラインヘッドを構成するノズルヘッドの温度調整を均一に行うことができる。
【００１１】
そして上記構成において、ノズルヘッドをライン状に支持するベースプレートの枠部に調温液体が循環する液流路を設けたことにより、上記の吹き出しダクトからの調温空気と共に、ノズルヘッドを支持するベースプレートからもラインノズルを構成する各ノズルヘッドの温度を制御することができ、ノズルヘッド間のインク温度差を少なくして、全体に安定した品質のよい印刷を行うことができる。
【００１２】
またこの構成では、ノズルヘッドをライン状に支持するノズルプレートの枠部に液流路を設けたことにより、この１つの液流路によりラインノズルを構成する各ノズルヘッドをまとめて温度制御をすることができる。
【発明を実施するための最良の形態】
【００１３】
図１は本発明を実施しようとするインクジェット印刷装置の全体を示すもので、図中１は給紙部、２は印字部、３は加工部、４は排紙部であり、給紙部１から給紙された用紙５は印字部２にて印字され、必要に応じて乾燥機６にて乾燥されてから加工部３に入り、ここで必要な加工がなされた後、排紙部４へ排紙されるようになっている。
【００１４】
印字部２には、複数個の、例えば用紙５の走行方向に順にイエロ用、マゼンタ用、シアン用、ブラック用の各インクジェット記録装置２ａ，２ｂ，２ｃ，２ｄを備えている。そしてこの各インクジェット記録装置２ａ〜ｄは、図２に示すように支持機構７を介して支持フレーム８に、用紙５の走行方向に対して直角方向に、すなわち用紙５に対向する印字位置と、この印字位置から外れた待機位置（メンテナンス位置）に移動可能に支持されている。各インクジェット記録装置２ａ〜２ｄは、支持機構７にて上下方向の位置調整、及び水平方向に対する姿勢調整ができるようになっている。
【００１５】
各インクジェット記録装置２ａ〜２ｄには、図２から図５に示すように、多数のノズルヘッド９を用紙５の幅方向にライン状に配置してなるラインヘッド１０が筺体１１に収容して備えてある。このラインヘッド１０の多数のノズルヘッド９は図３、図４に示すように、枠状に形成されたベースプレート１２に、これの並び方向に対してわずかに傾斜されて固着されている。そしてこの各ラインヘッド１０のノズルヘッド９の相互間にはわずかな幅の隙間１３がある。
【００１６】
上記ラインヘッド１０を支持するために枠状に形成されたベースプレート１２には、これに支持するラインヘッド１０を囲む形状にした枠状になっている部分に液流路１４が設けてあり、これの入口１４ａと出口１４ｂがポンプ１５、調整装置１６を有する貯液槽１７を備えた調温液体供給回路１８が接続してあり、ポンプ１５にて調温装置１６にて調温された貯液槽１７内の液体を上記通路１４を循環することによりベースプレート１０の温度が制御できるようになっている。上記調温液体供給回路１８はフレキシブルなホースにて構成されていて、各インクジェット記録装置２ａ〜２ｄの移動に追随するようになっている。
【００１７】
また、図２、図５、図６に示すように、筺体１１内には上記ラインヘッド１０の全長にわたる一方の側面の全体に対向する開口部を開口させた吹き出しダクト１９が設けてあり、この吹き出しダクト１９は吹き出しダクト１９に向けて末広がり状に形成された送風ダクト２０を介して各インクジェット記録装置２ａ〜２ｄの上部に開口したダクト継ぎ口２１に接続してある。そして、この各インクジェット記録装置２ａ〜２ｄの各ダクト継ぎ口２１は、個々の通路ダクト２２ａ，２２ｂ，２２ｃ，２２ｄを介して印字部２のフレーム上に設けた空調装置２３ａ，２３ｂ，２３ｃ，２３ｄに接続されている。上記各ダクト継ぎ口２１は、個々の通路ダクト２２ａ〜２２ｄに対して用紙５の走行方向と直角方向に係脱可能になっていて、各インクジェット記録装置２ａ〜２ｄが印字位置にあるときには、各ダクト継ぎ口２１が個々の通路ダクト２２ａ〜２２ｄと接続され、各インクジェット記録装置２ａ〜２ｄが待機位置へ移動した状態では通路ダクト２２ａ〜２２ｄから外れるようになっている。筺体１１のラインヘッド１０の他方の側面に対向する側壁に排出口１１ａが開口されている。
【００１８】
上記各空調装置２３ａ〜２３ｄは送風機と温調装置を内蔵するもので、ラインヘッド１０の他方の側面に対向する位置に設けられた温度検出器２４にて検出した値により調温装置が降温あるいは昇温制御されて、それぞれの風が各インクジェット記録装置２ａ〜２ｄに供給されるようになっている。
【００１９】
上記構成において、ラインヘッド１０の各ノズルヘッド９を支持するベースプレート１２に設けた通路１４に流れる液体は調温装置１６にて所定の温度制御され、ポンプ１５にて循環される。そしてこの液体にてベースプレート１２の温度が調温され、このベースプレート１２の温度がこれに支持されているラインヘッド１０の各ノズルヘッド１３に伝わり、個々のノズルヘッド１３の温度がベースプレート１２により間接的に制御される。この温度制御は各インクジェット記録装置２ａ〜２ｄごとに行われる。
【００２０】
一方、各インクジェット記録装置２ａ〜２ｄの各空調装置２３ａ〜２３ｄを作動することにより、この各空調装置２３ａ〜２３ｄからの空気は各通路ダクト２２ａ〜２２ｄを通り、各インクジェット記録装置２ａ〜２ｄの筺体１１に設けた吹き出しダクト１９よりそれぞれのラインヘッド１０の一方の側面の全面に向けて吹き出される。そしてこの調温された空気は、ラインヘッド１０の各ノズルヘッド９間の隙間１３を通ってラインヘッド１０を横切り、筺体１１の排出口１１ａより排出され、この間において各ノズルヘッド９は、この空気にさらされることにより直接調温される。そしてこのときのラインヘッド１０を通過した空気の温度は温度検出器２４にて検出され、これが各空調装置２３ａ〜２３ｄにフィードバックされる。
【００２１】
上記したベースプレート１２を通る調温された液体及びラインヘッド１０の各ノズルヘッド９間を通る調温された空気のぞれぞれの温度は、これによって間接的に及び直接的に調温されるノズルヘッド９の温度が、ノズルヘッド９より吐出されるインクの吐出特性を一定に保持して安定した印字を行うことができるようにした温度となるようにそれぞれ温度制御される。
【図面の簡単な説明】
【００２２】
【図１】本発明を実施しようとするインクジェット印刷装置の全体を示す説明図である。
【図２】本発明に係るインクジェット記録装置を概略的に示す正面図である。
【図３】ラインヘッド部を示す平面図である。
【図４】ラインヘッド部を示す正面図である。
【図５】ラインヘッド部の空調部分を示す一部破断正面図である。
【図６】図５のＡ−Ａ断面矢視図である。
【符号の説明】
【００２３】
１…給紙部、２…印字部、２ａ，２ｂ，２ｃ，２ｄ…インクジェット記録装置、３…加工部、４…排紙部、５…用紙、６乾燥機、７…支持機構、８…支持フレーム、９…ノズルヘッド、１０…ラインヘッド、１１…筺体、１１ａ…排出口、１２…ベースプレート、１３…隙間、１４…液流路、１４ａ…入口、１４ｂ…出口、１５…ポンプ、１６…調温装置、１７…貯液槽、１８…調温液体供給回路、１９…吹き出しダクト、２０…送風ダクト、２１…ダクト継ぎ口、２２ａ，２２ｂ，２２ｃ，２２ｄ…通路ダクト、２３ａ，２３ｂ，２３ｃ，２３ｄ…空調装置、２４…温度検出器。
【図１】
2006026900.tif 000003
【図２】
2006026900.tif 000004
【図３】
2006026900.tif 000005
【図４】
2006026900.tif 000006
【図５】
2006026900.tif 000007
【図６】
2006026900.tif 000008